(57)【特許請求の範囲】
【請求項１】
シェルタ筐体を構成しシェルタ側壁の一部を開放可能としているシェルタ本体と、
前記シェルタ本体内に収容可能であるとともに、前記一部からシェルタ外方向へ広がることでシェルタ空間を拡大させるシェルタ空間拡大手段と、
前記一部の外周側からシェルタ空間へ送風するとともに、前記シェルタ空間拡大手段によってシェルタ空間を拡大させたときに、送風方向を、前記シェルタ本体内の空間である本体空間と、前記シェルタ空間拡大手段によって形成された拡大空間と、に切替可能とする送風・切替手段と、
を備え、
前記送風・切替手段は、送風の噴き出し口に対向して設けられた整流板と、
前記整流板の傾斜方向を切り替える傾斜方向切替機構と、
を備えたことを特徴とするシェルタ。
【請求項２】
前記送風・切替手段は、前記整流板の傾斜方向の切り替えに連動して前記噴き出し口の位置を切り替えることを特徴とする請求項１記載のシェルタ。
【請求項３】
前記送風・切替手段からの送風温度が可変にされていることを特徴とする請求項１または２記載のシェルタ。
【請求項４】
前記シェルタ本体は、前記一部として片サイド側を開閉可能に覆うウィングサイドパネルを備え、
前記ウィングサイドパネルは、開いたときに前記拡大空間の天井側の少なくとも一部を覆うことを特徴とする請求項１〜３のいずれか１項記載のシェルタ。
【発明の詳細な説明】
【技術分野】
【０００１】
本発明の実施形態は、シェルタ側壁の一部を開放可能としているシェルタに関する。
【背景技術】
【０００２】
トラックなどで移動可能なシェルタが知られている。このシェルタにはテント状の天幕が折り畳まれた状態で積み込まれていることが多く、シェルタをトラックなどで屋外の所定位置にまで運搬し、シェルタの近くで天幕を広げて遮蔽空間を形成し、遮蔽空間内で機器を使用することや要員を待機させることなどを行うことが多い。
【先行技術文献】
【特許文献】
【０００３】
【特許文献１】特開平２−２１２３００号公報
【発明の概要】
【発明が解決しようとする課題】
【０００４】
ところで、シェルタ内と、天幕による遮蔽空間とは繋がっていない。このため、シェルタ内の機器等を遮蔽空間にまで運搬するには、シェルタから外へ運び出し、更に、天幕による遮蔽空間に運び入れる必要がある。
【０００５】
また、天幕による遮蔽空間では、空調設備を簡単に設置することができない。このため温度コントロールをすることができず、機器の管理や作業員の作業性向上の観点で、夏場に天幕内を適度に冷却することが望まれている。
【０００６】
本発明は上記課題に鑑みてなされたものであり、シェルタ内と天幕による空間とが繋がっていて、しかも天幕による空間内で空調を効率的に調整することができるシェルタを提供することを課題とする。
【課題を解決するための手段】
【０００７】
本発明の実施形態に係るシェルタは、シェルタ筐体を構成しシェルタ側壁の一部を開放可能としているシェルタ本体と、シェルタ本体内に収容可能であるとともに、この一部からシェルタ外方向へ広がることでシェルタ空間を拡大させるシェルタ空間拡大手段と、を備える。更に、本発明の実施形態に係るシェルタは、上記一部の外周側からシェルタ空間へ送風するとともに、シェルタ空間拡大手段によってシェルタ空間を拡大させたときに、送風方向を、シェルタ本体内の空間である本体空間と、シェルタ空間拡大手段によって形成された拡大空間と、に切替可能とする送風・切替手段を備える。
【図面の簡単な説明】
【０００８】
【図１】図１（ａ）および（ｂ）は、それぞれ、実施形態に係るシェルタが大型トラックに搭載されていることを示す側面図および平面図である。
【図２】実施形態で、天幕をシェルタ本体から広げることを説明するシェルタ背面図である。
【図３】実施形態で、天幕をシェルタ本体から広げることを説明するシェルタ背面図である。
【図４】図４（ａ）および（ｂ）は、何れも、実施形態でエアコンからの送風方向を切り替えることを説明する模式的な側面図である。
【図５】実施例のシェルタの構造を示す側面視の模式図である。
【発明を実施するための形態】
【０００９】
以下に、添付図面を参照し、本発明の一実施形態（以下、本実施形態という）に係るシェルタついて説明する。図１（ａ）および（ｂ）は、それぞれ、本実施形態に係るシェルタが大型トラック（例えば３．５ｔ型トラック）に搭載されていることを示す側面図および平面図である。
【００１０】
図２、図３は、何れも、本実施形態で、天幕をシェルタ本体から広げることを説明するシェルタ背面図である。図４（ａ）および（ｂ）は、何れも、本実施形態でエアコンからの送風方向を切り替えることを説明する模式的な側面図である。
【００１１】
シェルタ１０は、シェルタ筐体を構成しシェルタ側壁の一部Ｐを開放可能としているシェルタ本体１２と、シェルタ本体１２内に収容可能であるとともに、上記一部Ｐからシェルタ外方向へ広がることでシェルタ空間を拡大させるシェルタ空間拡大手段２０と、を備えている。そして、シェルタ１０には、上記一部Ｐの外周側からシェルタ空間へ送風するとともに、シェルタ空間拡大手段２０によってシェルタ空間を拡大させたときに、送風方向を、シェルタ本体内の空間である本体空間Ｍと、シェルタ空間拡大手段２０によって形成された拡大空間Ｅと、に切替可能とする送風・切替手段２２が設けられている。なお、拡大空間Ｅでは、テーブル２４や、プロジェクターで写し出すためのスクリーン２６などを配置して、乗員が作業などを行うことが可能になっている。
【００１２】
シェルタ本体１２は、上記一部Ｐとして片サイド側ＰＳを開閉可能としている。すなわち、シェルタ本体１２には、片サイド側ＰＳを開閉可能に覆うウィングサイドパネル２８（サイド側の扉）が設けられている。このウィングサイドパネル２８は、例えば、ウィングサイドパネル２８が上端部で回動可能に保持されていることによりシェルタ１０が開閉可能とされている。
【００１３】
シェルタ空間拡大手段２０としては、天幕３０と、天幕３０をシェルタ１０の外側に張り出すことが可能な拡大機構３２と、上下位置が可変な昇降用階段３４とが設けられている。天幕３０および拡大機構３２については、シェルタ１０に収容するときには、拡大機構３２を変形させてシェルタ１０内に収容され得る形状にし、天幕３０もシェルタ１０に収容されており、ウィングサイドパネル２８を開いたときには、拡大機構３２によって天幕３０がシェルタ外側に広げられた状態で位置するように構成されている。
【００１４】
本実施形態では、シェルタ１０は、図２に示すように、シェルタ本体１２を地上に直接に載置して使用する場合と、図３に示すように、シェルタ本体１２をトラックの荷台Ｔなどの介在物を介して載置して使用する場合と、の両方の使い方が可能となっている。後者の場合には、図３に示すように、昇降用階段３４の上部がシェルタ本体１２の下部に位置し、乗員がシェルタ本体１２から地上に降りることが可能となっており、図２に示す場合に比べて拡大空間Ｅが上下方向に広くなっている。
【００１５】
送風・切替手段２２としては、上記一部Ｐ（片サイド側ＰＳ）の上部であってシェルタ天井４０に隣接するように配置されたエアコン４２と、送風の噴き出し口４６に対向してシェルタ床４８の床面４８ｕ上に設けられた整流板５０と、整流板５０の傾斜方向を切り替える傾斜方向切替機構５２と、が設けられている。エアコン４２は設定温度が可変にされており、冷風、温風の切り替えが可能である。傾斜方向切替機構５２としては、整流板５０の傾斜方向を切り替えることができる限り、特に限定しない。例えば、図４に示すように、整流板５０の長手方向に沿った長孔状の凹部５６をシェルタ本体１２の両側壁内側に形成して、凹部５６に係合する支軸５８を整流板５０に設けた構成にし、整流板５０を上方に移動させて、整流板５０の下部の位置を本体空間側にすることで図４（ａ）に示すように本体空間Ｍに向けて送風でき、整流板５０の下部の位置を拡大空間側にすることで図４（ｂ）に示すように拡大空間Ｅに向けて送風できる、という構成にしてもよい。
【００１６】
本実施形態では、送風・切替手段２２にはダクト６０（図４参照）が設けられており、整流板５０の傾斜方向の切り替えに連動して、ダクト６０の噴き出し口４６が移動するように制御されている。すなわち、図４（ａ）に示すように、本体空間Ｍに向けて送風する場合には、噴き出し口４６がエアコン４２の中央位置（あるいはエアコン４２の本体空間側）に位置するようにダクト６０を移動させ、図４（ｂ）に示すように、拡大空間Ｅに向けて送風する場合には、噴き出し口４６がエアコン４２の拡大空間側に位置するようにダクト６０を移動させる。
【００１７】
なお、本体空間Ｍに向けて送風する際に使用する噴き出し口と、拡大空間Ｅに向けて送風する際に使用する噴き出し口とをダクト６０に予め形成しておき、整流板５０の傾斜方向の切り替えに連動して、使用する噴き出し口を切り替えるように制御してもよい。これにより、ダクト６０を移動させなくても済む。
【００１８】
（作用、効果）
以下、本実施形態の作用、効果について説明する。シェルタ空間拡大手段２０で拡大空間Ｅを形成するには、まず、シェルタ１０を所定の載置位置にまでトラック等で運搬する。
【００１９】
次に、ウィングサイドパネル２８を開き、拡大機構３２により天幕３０をシェルタ１０の外側へ張り出し、拡大空間Ｅを形成する。このようにして形成された拡大空間Ｅは、シェルタ本体１２による本体空間Ｍと繋がっている。
【００２０】
そして、送風・切替手段２２により、エアコン４２を起動させるとともに整流板５０の傾斜方向を決定することで送風方向を決める。
【００２１】
以上説明したように、本実施形態に係るシェルタ１０は、シェルタ本体１２内に収容可能で、かつシェルタ外方向へ広がることでシェルタ空間を拡大させることが可能なシェルタ空間拡大手段２０を備えている。更に、シェルタ１０は、シェルタ空間へ送風するとともに、送風方向を、シェルタ本体１２内の空間である本体空間Ｍと、シェルタ空間拡大手段２０による拡大空間Ｅと、に切替可能とする送風・切替手段２２を備えている。
【００２２】
従って、本体空間Ｍと拡大空間Ｅとが繋がっており、シェルタ本体１２内、すなわち本体空間Ｍの機器（通信機器、精密機器など）をシェルタ１０の外部に移動させることなく拡大空間Ｅに移動させることができる。
【００２３】
そして、送風・切替手段２２では、本体空間Ｍと拡大空間Ｅとに送風方向を切替可能であるので、対象空間の空調（例えば冷房や暖房）を効率的に行うことができる。このことは、拡大空間Ｅで、夏場に適正な機器管理や作業員の作業性向上を図る観点で大きく有効である。
【００２４】
なお、本実施形態では、側壁側にウィングサイドパネル２８が設けられているシェルタ１０で説明したが、ウィングサイドパネル２８を設けない構成にして、天幕３０の収容時には天幕３０で側壁側を覆う構成にすることも可能である。
【００２５】
また、本実施形態では、整流板５０の傾斜方向を切り替えることで、エアコン４２からの送風を、本体空間Ｍに案内するか拡大空間Ｅに案内するかを切り替える例で説明したが、これに限らず、例えば、整流板５０に代えてファンを配置し、ファンの正転、反転によって本体空間Ｍに案内するか拡大空間Ｅに案内するかを切り替える構成にしてもよい。
【００２６】
また、本実施形態では、エアコン４２の噴き出し口４６が片サイド側ＰＳの上部側に設けられ、下方へ向けて送風する例で説明したが、噴き出し口４６が片サイド側ＰＳの下部側に設けられ、上方へ向けて送風する構成にしてもよい。この場合、整流板などの送風方向を切り替える機構は、片サイド側ＰＳの上部側で噴き出し口４６に対向する位置に配置する。
【００２７】
また、本実施形態では、拡大機構３２がシェルタ本体１２の片サイド側ＰＳから天幕３０をシェルタ１０の外側に張り出すことが可能である例で説明したが、拡大機構３２は、片サイド側ＰＳに限らず、両サイド側や背面側などから天幕３０を張り出すことが可能とされていてもよい。
【００２８】
（実施例）
以下、具体例を実施例として説明する。図５は、本実施例のシェルタの構造を示す側面断面図である。なお、図５では、説明を判り易くするために、シェルタ本体１２を地上に直接に載置して使用する場合（図２も参照）を実線で描き、シェルタ本体１２をトラックの荷台Ｔなどの介在物を介して載置して使用する場合（図３も参照）を創造線で描いている。また、本実施例では上記実施形態で説明した構成と同様の構成のものには同じ符号を付して説明する。
【００２９】
シェルタ１０は、ウィングサイドパネル２８と、拡大機構３２と、送風・切替手段２２と、天幕３０と、補助天幕３１とを備えている。ウィングサイドパネル２８はウィング用ジャッキ７２で開閉される構成にされている。また、シェルタ１０は、拡大機構３２によって形成された拡大空間Ｅとシェルタ本体１２内の本体空間Ｍとを仕切る仕切りカーテン７０を開閉自在に備えている。この仕切りカーテン７０は、温度、湿度のコントロールとして用いるのに適している。
【００３０】
拡大機構３２は、組立式支柱７４、伸縮式支柱７６、横張り支柱７８、昇降用階段３４、床板８０を備えている。組立式支柱７４は、天幕固定機能を有している。天幕３０は、採光機能、通気機能を備えている。横張り支柱７８は、展示用パネル等が着脱可能な構造にされている。床板８０は、シェルタ１０を地上に設置した場合には、シェルタ本体１２の床面４８ｕと同一高さに位置しており、シェルタ１０を車載している場合には、地上に載置された位置にされている。また、シェルタ１０を車載している場合には、伸縮式支柱７６を下方に延ばすとともに、延ばしたことによって床板８０とシェルタ本体１２との開放部分を覆う補助天幕３１を用いる。
【００３１】
本実施例では、図５から明らかなように、拡大機構３２により形成された拡大空間Ｅの天井のうち、一部がウィングサイドパネル２８によって覆われている。従って、本実施例により、上記実施形態で奏する効果に加え、ウィングサイドパネル２８の面積分だけ、拡大空間Ｅを覆うのに必要な天幕３０の面積を低減させることができる。
【００３２】
以上、実施形態を説明したが、実施形態は例として提示したものであり、発明の範囲はそれらに限定することは意図していない。実施形態は、その他の様々な形態で実施されることが可能であり、発明の要旨を逸脱しない範囲で、種々の省略、置き換え、変更を行うことができる。実施形態やその変形は、発明の範囲や要旨に含まれると同様に、特許請求の範囲に記載された発明とその均等の範囲に含まれるものである。
【符号の説明】
【００３３】
１０  シェルタ
１２  シェルタ本体
２０  シェルタ空間拡大手段
２２  送風・切替手段
２８  ウィングサイドパネル
３０  天幕
４６  噴き出し口
５０  整流板
５２  傾斜方向切替機構
Ｅ  拡大空間
Ｍ  本体空間
ＰＳ  片サイド側
【図１】
0005981217.tif 000002
【図２】
0005981217.tif 000003
【図３】
0005981217.tif 000004
【図４】
0005981217.tif 000005
【図５】
0005981217.tif 000006